(57)【要約】  【課題】ビニルハウスの側面の被覆材を巻き上げて側面に通気口をつくり、この通気口から外気を取り込むとき、巻き上げた被覆材の下端部を外側に突き出させてひさし（庇、廂）の機能をさせ、降雨時に通気部から雨が浸入するのを防ぐための器具を提供する。  【解決手段】ビニルハウスの支柱に嵌合する溝を設けた溝部を有し、その反対側に上方から下方に突出する傾斜部と傾斜部の下方に平面部とを形成した板状体からなるビニルハウス側面被覆材の巻き上げ部支持具である。また本発明は、ビニルハウスの支柱に嵌合する溝３を設けた溝部２を有し、その反対側に上方から下方に突出する傾斜部４及び下方から上方に突出する傾斜部４’を形成し、且つ前記傾斜部間に平面部５を形成した板状体からなるビニルハウス側面被覆材の巻き上げ部支持具１である。  【選択図】図２
2005124408.tif 000002
【特許請求の範囲】
【請求項１】
ビニルハウスの支柱に嵌合する溝を設けた溝部を有し、その反対側に上方から下方に突出する傾斜部と傾斜部の下方に平面部とを形成した板状体からなるビニルハウス側面被覆材の巻き上げ部支持具。
【請求項２】
ビニルハウスの支柱に嵌合する溝を設けた溝部を有し、その反対側に上方から下方に突出する傾斜部及び下方から上方に突出する傾斜部を形成し、且つ前記傾斜部間に平面部を形成した板状体からなるビニルハウス側面被覆材の巻き上げ部支持具。
【発明の詳細な説明】
【技術分野】
【０００１】
本発明は、ビニルハウスの側面を覆う被覆材を巻き上げたとき、この巻き上げ部を突出させるための支持具に関する。
【背景技術】
【０００２】
従来、野菜、花き類、果樹類などの作物の成育を調整するためにビニルハウス（簡易温室）が用いられている。ビニルハウスは、金属や合成樹脂の骨材でかまぼこ型や直方体型を形成し、その上面及び側面をポリ塩化ビニル、ポリエチレンフィルムなど合成樹脂フィルムの被覆材で覆ったものである。ビニルハウスを用いると、温度や日照を調整して、作物の収穫期を早める促進栽培や収穫期を遅らせる抑制栽培を行なうことができる。
【０００３】
ビニルハウスで作物を栽培するとき、内部の温度や湿度を調整するため、換気が必要になる。この換気は、ビニルハウスの天井の一部に取り付けた開閉部を開けて内部の空気を逃がしたり、ビニルハウスの側面の被覆材を巻き上げて側面に通気口をつくり、ここから外気を取り込んでいる。ビニルハウスの側面の被覆材を巻き上げて側面から外気を取り込む手段を採用する場合は、例えば、地上３０〜７０ｃｍ位の位置に被覆材の巻き上げ可能部を設け、この部分の被覆材を巻き上げ通気部をつくることによって行なっている。
【０００４】
ビニルハウスの側面の被覆材を巻き上げ側面に通気口を設けて外気を取り込む手段を採用する場合は、降雨時には、雨が通気口からハウス内に浸入する恐れがある。雨が、ハウス内に入ると、水滴が作物に直接当り、特に花卉類の栽培においては、うどんこ病が発生しやすい。また、雨が降るからといって、ビニルハウス内を密閉しておくと、ビニルハウス内部が多湿状態になり、べと病、灰色かび病などの病害が多発するので、換気を中止することはできない。
【発明の開示】
【発明が解決しようとする課題】
【０００５】
本発明は、ビニルハウスの側面の被覆材を巻き上げて側面に通気口をつくり、この通気口から外気を取り込むとき、被覆材の巻き上げ部を外側に突き出させてひさし（庇、廂）の機能をさせ、降雨時に通気部から雨が浸入するのを防ぐための器具、すなわち被覆材の巻き上げ部を外側に突き出させるための支持具を提供することを目的とする。
【課題を解決するための手段】
【０００６】
すなわち、本発明は、ビニルハウスの支柱に嵌合する溝を設けた溝部を有し、その反対側に上方から下方に突出する傾斜部と傾斜部の下方に平面部とを形成した板状体からなるビニルハウス側面被覆材の巻き上げ部支持具である。また本発明は、ビニルハウスの支柱に嵌合する溝を設けた溝部を有し、その反対側に上方から下方に突出する傾斜部及び下方から上方に突出する傾斜部を形成し、且つ前記傾斜部間に平面部を形成した板状体からなるビニルハウス側面被覆材の巻き上げ部支持具である。
【発明の効果】
【０００７】
本発明の支持具を用いると、ビニルハウスの側面の被覆材を巻き上げて側面に通気口をつくって換気するとき、雨がビニルハウス内に浸入するのを防ぐことができ、もって雨が直接作物に当たることにより発生する病害を防ぐことができる。そのため、降雨時にも、ビニルハウスの側面の被覆材を巻き上げて側面に通気口をつくって換気して、ビニルハウス内の高温、多湿状態による病害の発生を防ぐことができる。
【発明を実施するための最良の形態】
【０００８】
図１は本発明の支持具の一例を示した図であり、図１の（ａ）図は平面図、図１の（ｂ）図はその側面図である。１は本発明の支持具である。２は、ビニルハウスの支柱に嵌合する溝３を形成させる溝部である。溝の形状は、例えば支柱が丸棒である場合は、断面Ｕ字状に凹んだ溝である。４は溝部２の反対側に形成させた傾斜部であり、この傾斜部は上方から下方に突出するように形成されている。５は傾斜部に続いて形成させた平面部である。６は切り込み部であり、この切り込み部は設けても設けなくてもよい。支持具の大きさは適宜であるが、例えば、上下方向の長さ１５〜３５ｃｍ、幅８〜１５ｃｍ、厚さ３〜６ｃｍである。また、傾斜部の傾斜角も適宜で、例えば３０〜５０°である。
【０００９】
図２は本発明の支持具の他の例を示した図であり、図２の（ａ）図は平面図、図２の（ｂ）図はその側面図である。１は本発明の支持具である。２は、ビニルハウスの支柱に嵌合する溝３を形成させる溝部である。溝の形状は、例えば支柱が丸棒である場合は、断面Ｕ字状に凹んだ溝である。４は、溝部２の反対側に形成させた傾斜部であり、この傾斜部は上方から下方に突出するように形成されている。また４’は下方から上方に突出するように形成させた傾斜部である。５は傾斜部４と傾斜部４’との間に形成された平面部である。６は切り込み部であり、この切り込み部は設けても設けなくてもよい。
【００１０】
次に、本発明の支持具の使用例を示す。図３は、ビニルハウスの側面の被覆材を巻き上げて通気口を設けたときの従来の例を示す斜視図であり、ビニルハウスの内側から見た斜視図である。１１はビニルハウスの支柱、１２はこの支柱に固着した桟である。１３ビニルハウスの側面を覆う下部の被覆材である。この下部の被覆材１３は桟１２に固定されている。１４はビニルハウスの側面を覆う上部の被覆材であり、その下端は巻き上げ可能な状態にある。図３は、この上部の被覆材１４の下端を巻き上げて通気口１６を設けたときの図である。１５は上記の巻き上げ部であり、被覆材の巻き上げは、被覆材を心棒に巻き付けて行なう。従来のものは、この巻き上げたときに、下部の被覆材１３と上部の被覆材１４が同一平面上にあるため、降雨の時、特に風がある時、雨がビニルハウス内に浸入し、その水滴が作物にかかって病害を発生させる。
【００１１】
図４は、本発明の支持具を取り付けた例を示す斜視図であり、ビニルハウスの内側から見た斜視図である。図３のように上部の被覆材を巻き上げた状態において、ビニルハウスの支柱１１に、本発明の支持具１を傾斜部を上にして取り付ける。取り付けは、支持具１の溝３を支柱１１に嵌合することにより行なう。取り付け位置は、巻き上げ部１５がある位置より上方である。この取り付けは溝３を支柱１１に嵌合して行なうので、取外しが可能で自由に位置を変えることができる。この支持具１の取り付けによって、上部の被覆材１４の下端の巻き上げ部１５付近は外側に出っ張る。そして、この部分がひさしの作用をするので、降雨のとき、雨がビニルハウス内に浸入するのを防げる。
【００１２】
また、上部の被覆材１４は外側に出っ張っているため、その巻き上げ部１５を、下部の被覆材１３の上端に重なる位置、或は下部の被覆材１３の上端より下方の位置にしても、通気口を確保できる利点がある。このようにした場合は、外気が直接吹き込まないので、外気が低温な場合も通気口を設けて換気を行なうことができる。また、従来のビニルハウスにおいては、上部の被覆材１４の巻き上げ部１５が、下部の被覆材１３の上端より下方にあって、被覆材１３と被覆材１４とが二重に重なる部分が存在する場合、降雨のときには、雨水がこの重なった部分を伝ってビニルハウス内に侵入し水たまりを発生する（この現象はビニルハウスの端部で起こり易い）ことがある。本発明の支持具１を用いると、被覆材１３と被覆材１４との間に間隔ができるので、この問題点も解消できる。図１、図２における支持具の切り込み６は、ビニルハウスの桟１２が存在する位置にも取り付け得るように形成したもので、桟１２が当たる部分である。また、図１、図２において、傾斜部を設けるのは、被覆材と支持具との接触を緩和し、被覆材及び支持具の損傷を防ぐためである。図２のごとく、傾斜部を支持具の上方及び下方に形成させたときは、取り付けるとき、上下どちらの向きにしてもよいので取り付けに便利である。
【００１３】
本発明の支持具の素材は、合成樹脂、木などであるが、硬質発泡樹脂例えば発泡スチロールが好ましい。また、ビニルハウスの支柱に嵌合するための溝は、図１、２のごとく、支持具本体に形成させるのが好ましいが、ビニルハウスの支柱に嵌合する断面Ｕ字状の構造の合成樹脂製又は金属製の金具を支持具本体に固着して形成させてもよい。
【図面の簡単な説明】
【００１４】
【図１】本発明の支持具の一例を示す平面図及び側面図
【図２】本発明の支持具の他の例を示す平面図及び側面図
【図３】被覆材を巻き上げて通気口を設けたときの従来の例を示す斜視図
【図４】本発明の支持具を取り付けたときの例を示す斜視図
【符号の説明】
【００１５】
１  支持具、２  溝部、３  溝、４，４’  傾斜部、５  平面部、６  切欠き部、１１  ビニルハウスの支柱、１２  ビニルハウスの桟、１３  下部の被覆材、１４  上部の被覆材、１５  巻き上げ部、１６  通気口
【図１】
2005124408.tif 000003
【図２】
2005124408.tif 000004
【図３】
2005124408.tif 000005
【図４】
2005124408.tif 000006
【手続補正書】
【提出日】平成16年12月13日(2004.12.13)
【手続補正１】
【補正対象書類名】図面
【補正対象項目名】図１
【補正方法】変更
【補正の内容】
【図１】
2005124408.tif 000007
【手続補正２】
【補正対象書類名】図面
【補正対象項目名】図２
【補正方法】変更
【補正の内容】
【図２】
2005124408.tif 000008